(57)【要約】【課題】第２のフィルタを通過した毛髪がファンに弾かれたとしても、毛髪どうしをより絡まり難くすることのできる送風装置を得る。【解決手段】本体ハウジング（ハウジング）１２の吸入口１５に設けられる第１のフィルタ８０と、第１のフィルタ８０とファン２６との間に配置される第２のフィルタ９０とを備え、第２のフィルタ９０を、本体ハウジング１２への取付状態で第２のフィルタ９０の略中心部ｂとファン２６の頭部２６ｂとの間の本体ハウジング１２の軸方向に沿う直線距離Ｌ１が、第２のフィルタ９０の外周部ｃとファン２６の頭部２６ａとの間の軸方向に沿う直線距離Ｌ１と同等または同等以下の関係となる形状とする。【選択図】図９
2013123525.tif 000002
【特許請求の範囲】
【請求項１】
吸入口および吐出口を有したハウジングと、
前記ハウジングの内部に配置され、前記吸入口から吸い込んだ空気を前記吐出口から吐出させるファンと、
前記ハウジングの吸入口に設けられる第１のフィルタと、
前記第１のフィルタと前記ファンとの間に配置される第２のフィルタと、を備え、
前記第２のフィルタを、前記ハウジングへの取付状態で前記第２のフィルタの略中心部と前記ファンの頭部との間の前記ハウジングの軸方向に沿う直線距離が、前記第２のフィルタの外周部と前記ファンの頭部との間の前記軸方向に沿う直線距離と同等または同等以下の関係となる形状としたことを特徴とする送風装置。
【請求項２】
前記ハウジング内には、前記ファンが内部に配置される整流筒が設けられているとともに、前記整流筒の上流側端部における開口の中心が前記吸入口の中心に対して偏心して配置されており、
前記第２のフィルタは、前記整流筒の開口の中心を中心として放射状に配置される複数の桟と、前記桟に固定されるメッシュフィルタとを備え、
複数の前記桟を放射状に配置するにあたり、前記吸入口から前記整流筒の開口に導入される流入量が多い部位で隣接する一対の前記桟の角度を広げて配置したことを特徴とする請求項１に記載の送風装置。
【請求項３】
前記ハウジング内には、前記ファンが内部に配置される整流筒が設けられており、
前記整流筒の上流側端部をベルマウス形状とするとともに、前記ベルマウス形状の上流側に前記第２のフィルタを配置したことを特徴とする請求項１または２に記載の送風装置。
【発明の詳細な説明】
【技術分野】
【０００１】
本発明は、送風装置に関する。
【背景技術】
【０００２】
従来の送風装置として、例えば特許文献１にはハウジングの内部に配置されるファンと、ハウジングの吸入口に設けられる第１のフィルタとの間に、第２のフィルタ（特許文献１では第３のフィルタと記載）を配置したヘアドライヤーが開示されている。
【０００３】
この特許文献１では、第２のフィルタとしてメッシュ状で且つ網目幅が３００〜６５０μｍのフィルタを用いることで、風量の低下を招くことなく細かい埃や毛髪を捕捉することができるようにしている。
【先行技術文献】
【特許文献】
【０００４】
【特許文献１】特開２００８−３０７２２１号公報
【発明の概要】
【発明が解決しようとする課題】
【０００５】
しかしながら、毛髪の太さは５０〜１５０μｍであり、上記従来技術の第２のフィルタを用いたとしても毛髪のハウジング内部への浸入を完全に防ぐことは困難である。
【０００６】
第２のフィルタを通過した毛髪はファンに達し、ファンで弾かれて毛髪どうしの絡まりが発生する。絡まりの初期状態であれば、すぐに絡まりは解ける。しかし、ファンに弾かれる時間が長くなればなるほど絡まりが複雑となり、絡まりが解けなくなる。この解けないほどの絡まりが発生すると、フィルタ（第１のフィルタまたは第２のフィルタ）の外側から毛髪が抜けなくなり、フィルタ（第１のフィルタおよび第２のフィルタ）を取り外して毛髪を切るなどの処置が必要となってしまう。毛髪どうしがファンに弾かれても絡まらずにフィルタの外側から抜けるのであれば、使用者に上記処置を行わさせずに済む。
【０００７】
ここで、上記従来の送風装置では、第２のフィルタの略中心部が第１のフィルタ側に向けて膨出した形状となっているため、毛髪どうしがファン近傍で絡まり易い構造となっていた。
【０００８】
そこで、本発明は、第２のフィルタを通過した毛髪がファンに弾かれたとしても、毛髪どうしをより絡まり難くすることのできる送風装置を得ることを目的とする。
【課題を解決するための手段】
【０００９】
上記目的を達成するために、本発明の第１の特徴は、吸入口および吐出口を有したハウジングと、前記ハウジングの内部に配置され、前記吸入口から吸い込んだ空気を前記吐出口から吐出させるファンと、前記ハウジングの吸入口に設けられる第１のフィルタと、前記第１のフィルタと前記ファンとの間に配置される第２のフィルタと、を備え、前記第２のフィルタを、前記ハウジングへの取付状態で前記第２のフィルタの略中心部と前記ファンの頭部との間の前記ハウジングの軸方向に沿う直線距離が、前記第２のフィルタの外周部と前記ファンの頭部との間の前記軸方向に沿う直線距離と同等または同等以下の関係となる形状としたことを要旨とする。
【００１０】
本発明の第２の特徴は、前記ハウジング内には、前記ファンが内部に配置される整流筒が設けられているとともに、前記整流筒の上流側端部における開口の中心が前記吸入口の中心に対して偏心して配置されており、前記第２のフィルタは、前記整流筒の開口の中心を中心として放射状に配置される複数の桟と、前記桟に固定されるメッシュフィルタとを備え、複数の前記桟を放射状に配置するにあたり、前記吸入口から前記整流筒の開口に導入される流入量が多い部位で隣接する一対の前記桟の角度を広げて配置したことを要旨とする。
【００１１】
本発明の第３の特徴は、前記ハウジング内には、前記ファンが内部に配置される整流筒が設けられており、前記整流筒の上流側端部をベルマウス形状とするとともに、前記ベルマウス形状の上流側に前記第２のフィルタを配置したことを要旨とする。
【発明の効果】
【００１２】
本発明の送風装置によれば、第２のフィルタの略中心部とファンの頭部との間の軸方向に沿う直線距離が、第２のフィルタの外周部とファンの頭部との間の軸方向に沿う直線距離と同等または同等以下の関係となるようにしている。そのため、第２のフィルタの略中心部とファンの頭部との間の距離を従来よりも短くできるようになり、毛髪どうしをより絡まり難くすることができる。
【図面の簡単な説明】
【００１３】
【図１】本発明の第１実施形態にかかる送風装置の側面図である。
【図２】本発明の第１実施形態にかかる送風装置の斜視図であって、（ａ）は送風装置を斜め前方から見た図であり、（ｂ）は送風装置を斜め後方から見た図である。
【図３】本発明の第１実施形態にかかる送風装置の正面図である。
【図４】図３のＡ−Ａ線に沿う断面図である。
【図５】図４中Ｂ部の拡大図である。
【図６】本発明の第１実施形態にかかる送風装置の後面図である。
【図７】図６における第１のフィルタを取り外した図である。
【図８】本発明の第１実施形態にかかる送風装置の第２のフィルタを示した図であって、（ａ）は、裏面側（ファン側）を示した図であり、（ｂ）は側面図でり、（ｃ）は表面側（第１のフィルタ側）を示した図である。
【図９】本発明の第１実施形態にかかる送風装置における毛髪の絡まりを説明する断面図である。
【図１０】従来の送風装置における毛髪の絡まりを説明する断面図である。
【図１１】本発明の第２実施形態にかかる送風装置の毛髪の絡まりを説明する断面図である。
【発明を実施するための形態】
【００１４】
以下、本発明の実施形態について図面を参照しながら詳細に説明する。
【００１５】
［第１実施形態］
図１〜図９は、本発明の第１実施形態にかかる送風装置を示した図であり、本実施形態では、本発明を送風装置としてのヘアドライヤーに適用した場合を例示する。
【００１６】
ヘアドライヤー１は、図１に示すように、使用者が手で握る部分となるグリップ部１１と、グリップ部１１と交差する方向に結合される本体部１０とを備えており、使用時にはグリップ部１１と本体部１０とで略Ｔ字状の外観を呈するように構成されている。ヘアドライヤー１は、複数の分割体を繋ぎ合わすことでその外郭となるハウジング（本体ハウジング、グリップハウジング）１２、１１ａが形成されており、グリップハウジング１１ａの突出端部からは、電源コード１８が引き出されている。また、本体部１０の下側にはグリップ取付部３が突設されており、このグリップ取付部３の連結部１９（図４参照）にグリップ部１１が回動自在に連結されている。グリップ部１１は、本体部１０に沿う位置まで折り畳むことができるようになっている。なお、本実施形態では、ヘアドライヤー１が使用時において略Ｔ字状となるように構成したが、これに限定されず、例えば略Ｌ字状となるように構成してもよい。
【００１７】
図４に示すように、本体ハウジング１２の後端部（空気流路の上流側端部：図４の右側）には、第１のフィルタ８０で覆われた吸入口１５が設けられる一方で、前端部（空気流路の下流側端部：図４の左側）には吐出口１６が設けられている。本体ハウジング１２の内部にはファン２６が配置されており、このファン２６の回転駆動によって吸入口１５から吸い込んだ空気を吐出口１６から吐出させる空気流路が形成される。
【００１８】
本実施形態の空気流路は、第１の空気流路と後述する第２の空気流路とにより構成されている。第１の空気流路は、本体ハウジング１２の内部に設けられる風洞の内側、即ち、整流筒２０と内筒２２の内側を通過してノズル２３の開口２８から吐出される流路である。この第１の空気流路には、最も上流側にファン２６が配置され、その下流側にファン２６を駆動するモータ２５が配置され、モータ２５のさらに下流側に加熱機構としてのヒータ３５が配置されている。ファン２６は、頭部２６ａ（図５参照）と翼部２６ｂとから成る一般的な構成のものであり、ヒータ３５を作動させた時には、ノズル２３の内側から温風が吹き出されることになる。なお、本実施形態では、帯状かつ波板状の電気抵抗体からなるヒータ３５を、断面十字型に組まれた基板２４に組み付けたものを例示したが、かかる構成に限定されない。
【００１９】
内筒２２の外周側であって本体ハウジング１２と内筒２２の上側との間の空間には、金属微粒子イオン（例えばプラチナイオン）を発生するイオン発生装置３６と、ミストを発生するミスト発生装置３７とが設けられている。その一方で、本体ハウジング１２と整流筒２０との間の空間には、ミスト発生装置３７に電圧を印加する電圧印加回路３０と、イオン発生装置３６に電圧を印加する電圧印加回路（図示せず）とが配置されている。これら電圧印加回路３０と電圧印加回路（図示せず）とは、整流筒２０を挟んで相互に反対側となる位置に配置するのが好適である。こうすれば、電圧印加回路３０と電圧印加回路（図示せず）との相互干渉による電圧の低下や不安定化などの不具合を抑制することができる。
【００２０】
また、本体ハウジング１２の前部上側には、楕円形の貫通孔（図示せぬ）が形成されており、図２（ａ）に示すように、この貫通孔（図示せぬ）を絶縁性の合成樹脂からなるカバー１３で塞いである。カバー１３には、図３に示すように、金属微粒子吐出口１３３，１３３とミスト吐出口１３２とがそれぞれ独立して形成されている。カバー１３は、金属微粒子あるいはミストによる帯電を抑制するため、本体ハウジング１２よりも導電性を低くするのが好適である。カバー１３が帯電すると、その電荷によって、イオン発生装置３６やミスト発生装置３７から電荷を帯びた金属微粒子やミストが放出されにくくなるからである。カバー１３の帯電を抑制するためには、帯電を起こしにくい材料、例えばＰＣ（ポリカボネート）樹脂などを用いてカバー１３を形成するのが好適である。なお、この部分では、カバー１３がヘアドライヤー１の外郭を成している。
【００２１】
また、図４に示すように、整流筒２０の下流側端部と内筒２２の上流側端部との間には、分流部２１が設けられている。分流部２１には、内筒２２の外周側と連通するリング状の開口２９が形成されており、ファン２６による送風の一部は、このリング状開口２９から本体ハウジング１２と内筒２２との間の空間を通過して吐出口１６から吐出されるようになっている。すなわち、整流筒２０の内側と内筒２２の外側を通過してノズル２３の外側の開口３８から吐出される流路が第２の空気流路となる。このノズル２３の外側の開口３８から吐出される風は、ヒータ３５と接触しないため、ヒータ３５によって加熱される前の比較的冷たい冷風として吐出される。また、リング状の開口２９を通過する風のさらに一部は、金属微粒子イオンとミストを金属微粒子吐出口１３３，１３３とミスト吐出口１３２からそれぞれ吐出することを補助するようになっている。
【００２２】
グリップハウジング１１ａの前面中央には、上下にスライドするスライド釦式のスイッチ部１７が設けられている。このスイッチ部１７は、電源オンオフ用のメインスイッチとして機能するものであり、また、風量の切り換え操作も行えるようにしている。一方、本体ハウジング１２の側面には、風温切り換え用の押し釦式のスイッチ部６と、風温表示のための表示部７と、動作表示ランプ１３８とが設けられている。これらのスイッチ部６、１７や表示部７などは、制御基板（図示せず）上のマイコンと電気的に接続されている。
【００２３】
そして、本実施形態では、風温切り換え用のスイッチ部６によって、「ＨＯＴ」「温冷」「ＣＯＬＤ」「ＳＣＡＬＰ」の４つの風温状態を切り換えることができるようになっている。「ＨＯＴ」とは、温風を出力するモードである。「温冷」とは、例えば冷風５秒、温風７秒といったように、温風と冷風とを交互に出力するモードである。「ＣＯＬＤ」とは、冷風を出力するモードである。「ＳＣＡＬＰ」とは、例えば約６０℃程度の低温風を出力するモードである。ヘアドライヤー１の本体部１０に電源が投入されると、マイコンが通電され、現在の風温モードに応じた駆動信号でヒータ３５が駆動されるとともに、現在の風温モードを表示するように表示部７の風温表示が制御される。そして、スイッチ部６が押下されるたびに、その押下信号がマイコンに送られて４つの風温状態が順に切り換わるようになっている。
【００２４】
本実施形態では、スイッチ部６を本体ハウジング１２におけるグリップ取付部３の根元位置から１０〜４０ｍｍ程度上方に配置するようにしている。このような位置にスイッチ部６があれば、グリップ部１１を把持する使用者の親指による操作を容易にすることができるとともに、不用意な誤操作を抑制することができるためである。すなわち、４０ｍｍ以上の位置にスイッチ部６があるとグリップ部１１を握る親指が届きにくくなり、逆に１０ｍｍ以下の位置にあると使用時に不用意にスイッチ部６を押してしまって使用者が意図しない風温切換操作が行われてしまう恐れがある。このような理由から、本実施形態では１０〜４０ｍｍ程度の位置に設定するようにしている。また、この位置では、円筒状の本体ハウジング１２における最大径の部位から次第に縮径された部位にあるので、ヘアドライヤー１を机上に置いた時にスイッチ部６が不用意に押されてしまうことも抑制できる。
【００２５】
本体ハウジング１２の後端部には、図４に示すように、第１のフィルタ８０が吸入口１５の開口領域を細分化するように取り付けられている。本実施形態の第１のフィルタ８０は、網目状の枠体８１とこの枠体８１に一体成形されるメッシュ８２とを備えている。
【００２６】
図５および図６に示すように、枠体８１は、電気用品取締法の定める試験指（φ２５ｍｍ）が挿入できないサイズを開口面積の基準と設定している。したがって、枠体８１の最大の開口面積の箇所において、メッシュ８２が破れたとしても、使用時に使用者の指などが枠体８１を通過してファン２６まで挿入されてしまう恐れはない。この枠体８１は、合成樹脂成形材料で厚み１．５〜２．５ｍｍ程度、桟幅が１．５ｍｍ程度が好ましい。その中でも桟部８１ｂの幅を１．３〜１．５ｍｍ程度のように細く設定することによって、成形流動性や強度を確保した上で騒音を低減することができる。また、枠体８１における開口部８１ａはハニカム形状が好ましい。こうすることで、桟部８１ｂの強度を均等に確保することができつつ吸入口１５の総開口面積を大きくとることができ、風量の増大に繋がる。
【００２７】
ここで、本実施形態の枠体８１には、開口率が５５〜９０パーセント程度であって、３００〜６５０ｎｍ程度の網目幅のメッシュ８２が一体成形されている。このメッシュ８２は、例えば金属やポリエステルなどの難燃性樹脂を用いることができ、このように網目幅の細かいメッシュ８２を一体成形することで、細かい埃や毛髪などが空気流路内に入ってしまうのを抑制できるようにしている。なお、メッシュ８２は枠体８１における後端面（上流側の面）寄り（例えば後端面から０．２ｍｍ程度）の位置にインサート成形することで、メッシュ８２が吸入口１５の最外層に位置することがないので、擦れによるメッシュ８２の破損を抑制することができる。また、メッシュ８２を後端面寄りに配置することで、メッシュ８２に埃が付着したとしてもその埃を外側から容易に掃除できるようになるため、吸込口１５部分の手入れを簡便化することができるという利点もある。その一方で、メッシュ８２を枠体８１の後端面寄りにインサート成形した場合、メッシュ８２の模様が枠体８１の後端面に表れてしまうため、これを目立たなくするために、枠体８１の後端面には微細な凹凸を予め付与するのが好適である。
【００２８】
また、図６に示すように、本実施形態では第１のフィルタ８０の本体ハウジング１２への固定は、枠体８１に設けられたハニカム形状の開口部８１ａのうちの一つを、メッシュ８２が一体成形されずにネジ孔８３として利用できるものとしている。そして、このネジ孔８３にビス８５を通して枠体８１を本体ハウジング１２に固定している。なお、ネジ孔８３については、整流筒２０の上流側端部２０ａよりも径方向内側に位置すると、空気の導入率が低減して騒音が発生する恐れがあるので、上流側端部２０ａよりも径方向外側に配置するのが好適である。
【００２９】
そして、図５に示すように、第１のフィルタ８０とファン２６との間には第２のフィルタ９０が配置されている。第２のフィルタ９０は、整流筒２０の上流側端部２０ａの開口領域を細分化するように取り付けられており、ファン２６近傍における毛髪どうしの絡まりを抑制している。
【００３０】
図８は、本実施形態の第２のフィルタ９０を示した図であって、（ａ）は、裏面側（ファン２６側）を示した図であり、（ｂ）は側面図、（ｃ）は表面側（第１のフィルタ８０側）を示した図である。この図８に示すように、本実施形態の第２のフィルタ９０は、フィルタフレーム９２とこのフィルタフレーム９２に一体化して取り付けられるメッシュフィルタ９５とにより構成されている。
【００３１】
フィルタフレーム９２は、略円環状の外周壁９３とこの外周壁９３の中心９７から放射状に伸びる５つの桟壁（桟）９１と外周壁９３の上側を径方向外側に一体に延ばしたフレーム壁９４とを備えている。そして、本実施形態では、フィルタフレーム９２の表側の外周壁９３と桟壁９１上にメッシュフィルタ９５を熱溶着して固定することにより、これらフィルタフレーム９２とメッシュフィルタ９５とを一体化している。このとき、図７にも示すように、表側の桟壁９１には、その桟壁９１よりも桟幅がやや狭いリブ９１ａが突設されている。一方、図８（ｃ）に示すように、メッシュフィルタ９５には、リブ９１ａと対向する位置にスリット９１ａが形成されている。このような構成により、スリット９１ａにリブ９１ａを挿通させて、これらメッシュフィルタ９５とフィルタフレーム９２とを精度良く位置決めして一体化することができるようにしている。なお、図７は、図６の第１のフィルタ８０を取り外した図であるが、便宜上メッシュフィルタ９５を図示省略している。
【００３２】
また、フィルタフレーム９２の外周壁９３には、周方向の２箇所に整流筒２２側に向て開口する係合穴９６ａが形成された突起９６が突設されている。フィルタフレーム９２の取付時には、整流筒２２側に設けられる係合片（図示せず）にその突起９６の係合穴９６ａを嵌合させることにより、第２のフィルタ９０の位置ズレを規制しつつ整流筒２２の上流側に固定することができる。また、フレーム壁９４には、本体ハウジング１２内の係止部に係止されるフレーム片９４ａが設けられている。
【００３３】
ここで、本実施形態では、第２のフィルタ９０を、本体ハウジング１２への取付状態でその略中心部ｂ（図９参照）とファン２６の頭部２６ａ（上流側端ａ）との間の本体ハウジング１２の軸方向に沿う直線距離Ｌ１が、外周部ｃと頭部２６ａ（上流側端ａ）との間の軸方向に沿う直線距離Ｌ１と同等または同等以下の関係となる形状としている。具体的には、図５および図８に示すように、本実施形態では、フィルタフレーム９２の５つの桟壁９１と外周壁９３の軸方向に沿う厚みを同じ厚さで形成し、その桟壁９１と外周壁９３の表側に一定厚さの円環状のメッシュフィルタ９５を張り付けている。
【００３４】
図９は、本実施形態にかかるヘアドライヤ１ーの毛髪６０の絡まりを説明する断面図、図１０は、従来のヘアドライヤーの毛髪６０の絡まりを説明する断面図である。
【００３５】
図１０に示すように、従来のヘアドライヤーでは、第２のフィルタ１００の略中心部ｂが、第１のフィルタ側に向けて膨出した形状となっていた。すなわち、第２のフィルタ１００の略中心部ｂとファン２６の頭部２６ａ（上流側端ａ）との間の軸方向に沿う直線距離Ｌ２が、外周部ｃと頭部２６ａ（上流側端ａ）との間の軸方向に沿う直線距離Ｌ１よりも長い構成となっている。このような構成では、第２のフィルタ１００を通過してファン２６に達した毛髪６０が、翼部２６ｂの回転によって弾かれた際に、毛髪６０に捻れが生じる作用点６５がファン２６から遠く離れてしまうこととなる。そのため、作用点６５における捻りに対する反力が小さくなり、捻れが解けてない状態で徐々に毛髪６０どうしが絡み合ってしまっていた。したがって、ファン２６に弾かれる時間が長くなればなるほど、毛髪６０どうしの絡まりが複雑化してしまい、毛髪６０がフィルタ（第１のフィルタ８０または第２のフィルタ９０）の外側から抜け難くなってしまう。
【００３６】
これに対し、本実施形態では、第２のフィルタ９０（メッシュフィルタ９５）を、その略中心部ｂとファン２６の頭部２６ａ（上流側端ａ）との間の直線距離Ｌ１が、外周部ｃと頭部２６ａ（上流側端ａ）との間の直線距離Ｌ１と等しい関係となる形状としている。そのため、第２のフィルタ９０を通過してファン２６に達した毛髪６０が、翼部２６ｂの回転によって弾かれる際に、毛髪６０に捻れが生じる作用点６５をファン２６により近づけることができる。これにより、作用点６５における捻りに対する反力を大きくすることができ、従来よりも毛髪６０の捻れを解け易くして元の状態に近づけることができる。したがって、徐々に毛髪６０どうしが絡み合ったとしても、捻れが解けた元の状態とより近い状態で毛髪６０どうしが絡み合うこととなるため、毛髪６０どうしの複雑な絡まりを抑制することができる。よって、毛髪６０どうしの絡まりを軽減でき、毛髪６０をフィルタ（第１のフィルタ８０または第２のフィルタ９０）の外側から抜き易くすることができる。なお、本実施形態では、第２のフィルタ９０の略中心部ｂとファン２６の頭部２６ａとの間の直線距離Ｌ１を、８．７ｍｍとしている。
【００３７】
また、第２のフィルタ９０のメッシュフィルタ９５は、開口率が７５〜９５パーセント程度のものを用いるのが好適である。本実施形態では、開口率が９０パーセント程度のメッシュフィルタ９５を採用しており、これにより、流量の減少を抑えることができる。また、材質としては、第１のフィルタ８０のメッシュ８２と同様に、例えば金属やポリエステルなどの難燃性樹脂を用いることができる。また、ファン２６を回転駆動させた際には、メッシュフィルタ９５はフィルタフレーム９２の桟壁９１に支持されていない部位で、ファン２６側へ引っ張られることとなるのため、少なくとも５０μｍ以上の線形を確保するのが好ましい。本実施形態では、線形が５５μｍのメッシュフィルタ９５を採用しており、これにより、メッシュフィルタ９５の強度を確保して破れにくくすることができる。
【００３８】
本実施形態の第２のフィルタ９０は、図５および図９に示すように、本体ハウジング１２への取付状態では、断面視で本体ハウジング１２の軸方向に直交する直交方向に一直線状に配置されることとなる。しかしながら、上述したようにファン２６を回転駆動させた際には、メッシュフィルタ９５に加えてフィルタフレーム９２、ひいては第２のフィルタ９０全体の略中心部ｂがファン２６側へ引っ張られることが予想される。したがって、ヘアドライヤー１の駆動時には、略中心部ｂと頭部２６ａ（上流側端ａ）との間の直線距離Ｌ１を、外周部ｃと頭部２６ａ（上流側端ａ）との間の直線距離Ｌ１以下の関係とすることができる。これにより、作用点６５をファン２６にさらに近づけることができるようになり、より一層毛髪６０の絡まりを抑制することができる。なお、本実施形態では、ヘアドライヤ１ーの駆動時（即ち、ファン２６の回転駆動時）に、第２のフィルタ９０の略中心部ｂが最大で０．３ｍｍ程度、整流筒２２側に撓むように構成している。
【００３９】
ところで、本実施形態では、内筒２２の上側の空間にミスト発生装置３７などが配置されていることや、これに伴い整流筒２０の上側の空間に電圧印加回路３０などが配置されていることにより、吸入口１５の中心に対して整流筒２２の中心がやや下方にずれて偏心して配置されている。これにより、図６に示すように、吸入口１５を塞ぐ第１のフィルタ８０の中心８７に対して整流筒２２の開口を塞ぐ第２のフィルタ９０の中心９７もやや下方にずれて配置されることになる。そのため、本実施形態では、吸入口１５から風洞となる整流筒２２の上流側端部２２ａに導入される空気の流入量が周方向で異なることが予想され、流入量の多い部位にフィルタフレーム９２の桟壁９１を配置すると、圧損により風量が低下する恐れがある。
【００４０】
そこで、本実施形態では、桟壁９１を放射状に配置するにあたり、流入量が多い部位で桟壁９１の角度を広げるようにしている。具体的には、本実施形態では、上述した第１のフィルタ８０と第２のフィルタ９０の配置の関係上、図６に示す第２のフィルタ９０の中心９７よりも上側の領域で流入量が多くなることが考えられる。そのため、図８に示す上側２つの桟壁９１を８４°の角度でＶ字状となように配置し、第２のフィルタ９０の表面側から見て（図８（ｂ）参照）、以下右回りに６６°、７２°、７２°、６６°の関係となるように残りの３つの桟壁９１を配置している。
【００４１】
このように、本実施形態では、流入量が多い部位において隣接する一対の桟壁９１の角度を広げて配置するようにしたので、桟壁９１によって圧損が生じるのを抑制して、風量の低下を抑制することができる。なお、第２のフィルタ９０の本体ハウジング１２への取付状態では、５つの桟壁９１は、整流筒２２の開口の中心を中心として放射状に配置されることになる。
【００４２】
また、図５に示すように、本実施形態では、整流筒２２の上流側端部２２ａが径方向外側に向けて徐々に拡開するベルマウス形状となっている。したがって、このベルマウス形状によっても、吸入口１５から整流筒２２の上流側端部２２ａに導入される空気の流入量の減少を抑えることができ、風量の低下をさらに抑制することができる。
【００４３】
以上により、本実施形態のヘアドライヤー１によれば、第２のフィルタ９０を、本体ハウジング１２への取付状態で略中心部ｂとファン２６の頭部２６ａの直線距離Ｌ１が、外周部ｃと頭部２６ａの直線距離Ｌ１と同等または同等以下の関係となる形状としている。そのため、第２のフィルタ９０を通過してファン２６に達した毛髪６０が、ファン２６の回転によって弾かれる際に、毛髪６０に捻れが生じる作用点６５をファン２６に近づけることができる。したがって、徐々に毛髪６０どうしが絡み合ったとしても、従来よりも捻れが解けた元の状態と近い状態で毛髪６０どうしが絡み合うこととなるため、毛髪６０どうしの複雑な絡まりを抑制して、毛髪６０どうしをより絡まり難くすることができる。これにより、毛髪６０がフィルタ（第１のフィルタ８０または第２のフィルタ９０）の外側から抜けなくなるのを抑制できる上、使用者にフィルタ（第１のフィルタおよび第２のフィルタ）を取り外して毛髪を切るなどの処置を行わさせてしまう恐れをより低減できる。
【００４４】
また、本実施形態によれば、上記構成によって例えファン２６に毛髪６０が絡まったとしても、フィルタ（第１のフィルタ８０または第２のフィルタ９０）の外側から毛髪６０を抜く際に、より絡まった先端側の毛髪６０を掴んで抜くことができるようになる。そのため、従来よりも毛髪６０をより抜き易くすることもできるという利点もある。
【００４５】
その一方で、第１のフィルタ８０にあっては、本体ハウジング１２の軸方向長さが大型化しない程度で第１のフィルタ８０の略中心部とファン２６の頭部２６ａとの間の軸方向に沿う直線距離を大きくとるのが好適である。こうすれば、第１のフィルタ８０から浸入した毛髪６０をファン２６に到達し難くできるので、より絡まり難くすることができる。
【００４６】
また、本実施形態によれば、第２のフィルタ９０の桟壁９１を放射状に配置するにあたり、吸入口１５から整流筒２２の上流側端部２２ａの開口に導入される流入量が多い部位で、隣接する一対の桟壁９１の角度を広げて配置するようにしている。そのため、流入量が多い部分において、一対の桟壁９１間の開口領域を広げることができ、桟壁９１によって圧損が生じるのを抑制して風量の低下を抑制できる。
【００４７】
さらに、本実施形態によれば、整流筒２２の上流側端部２２ａをベルマウス形状とするとともに、そのベルマウス形状の上流側に第２のフィルタ９０を配置している。そのため、整流筒２２の上流側端部２２ａの開口に導入される空気の流入量の減少を抑えることができ、風量の低下をさらに抑制することができる。
【００４８】
［第２実施形態］
図１１は、本発明の第２実施形態を示した図であり、上記第１実施形態と同一構成部分に同一符号を付して重複する説明を省略して述べるものとする。
【００４９】
本実施形態のヘアドライヤーが上記第１実施形態と主に異なる点は、第２のフィルタ９０Ａの略中心部ｂを、ファン２６側に向けて膨出させたことにある。すなわち、第２のフィルタ９０Ａの略中心部ｂとファン２６の頭部２６ａ（上流側端ａ）との間の軸方向に沿う直線距離Ｌ１が、外周部ｃと頭部２６ａ（上流側端ａ）との間の軸方向に沿う直線距離Ｌ３よりも短い構成（同等以下）となっている。
【００５０】
このように、本実施形態の第２のフィルタ９０Ａは、上記第１実施形態のヘアドライヤー１における駆動時の第２のフィルタ９０の形状（即ち、ファン２６を回転させて第２のフィルタ９０の略中心部ｂを撓ませた形状）を採用したものである。
【００５１】
一般的なヘアドライヤー１は、ファン２６の回転駆動により、ファン２６の頭部２６ｂと対向する第２のフィルタ９０Ａの略中心部ｂ側から毛髪６０が吸い込まれ易い構造となっている。そのため、本実施形態のように、外周部ｃと比べて毛髪６０が吸い込まれ易い略中心部ｂを頭部２６ｂに近づけて配置するようにすれば、毛髪６０どうしの絡まりを抑制することができる。
【００５２】
以上により、本実施形態のヘアドライヤー１によっても、上記第１実施形態と同様の作用効果を得ることができる。
【００５３】
すなわち、毛髪６０が第２のフィルタ９０Ａを通過した際に、捻れが生じる作用点６５をファン２６に近づけることができ、作用点６５における捻りに対する反力を大きくして、毛髪６０どうしをより絡まり難くすることができる。
【００５４】
以上、本発明の好適な実施形態について説明したが、本発明は上記実施形態には限定されず、種々の変形が可能である。
【００５５】
例えば、第２のフィルタは、略中心部と頭部との間の軸方向に沿う直線距離が、外周部と頭部との間の軸方向に沿う直線距離と同等または同等以下の関係となるようにすれば、上記第１および第２実施形態以外の形状であってもよい。
【００５６】
また、上記各実施形態では、本発明を送風装置としてのヘアドライヤーに適用した場合を例示したが、これに限定されず、例えば扇風機などにも適用することができる。
【００５７】
また、ハウジングや、その他細部のスペック（形状、大きさ、レイアウト等）も適宜に変更可能である。
【符号の説明】
【００５８】
１      ヘアドライヤー（送風装置）
１２    本体ハウジング（ハウジング）
１５    吸入口
１６    吐出口
２２    整流筒
２６    ファン
２６ａ  頭部
８０    第１のフィルタ
９０    第２のフィルタ
９１    桟壁（桟）
９５    メッシュフィルタ
ｂ      第２のフィルタの略中心部
ｃ      第２のフィルタの外周部
【図１】
2013123525.tif 000003
【図２】
2013123525.tif 000004
【図３】
2013123525.tif 000005
【図４】
2013123525.tif 000006
【図５】
2013123525.tif 000007
【図６】
2013123525.tif 000008
【図７】
2013123525.tif 000009
【図８】
2013123525.tif 000010
【図９】
2013123525.tif 000011
【図１０】
2013123525.tif 000012
【図１１】
2013123525.tif 000013